(57)【要約】長尺状の基材を収容して保護すべく構成されたダンパー付スリーブが開示される。スリーブは、可撓性および弾力性を備え、径方向の剛性および曲げの可撓性を付加すべく波形に成形された支持層を有する。支持層は、基材を収容するための内部空間を囲んで構成する。支持層内の縁部を対向させて構成された長手方向のスリットにより、内部空間にアクセスできる。不織布からなる減衰層は、支持層の外側表面を覆い、スリットを構成する縁部に沿って支持層に取り付けられる。フックループファスナーはスリットを閉じるために使用される。全ての構成要素は同じ材料から形成されるため、超音波溶接により接合されて互いに装着可能である。
2004537472.tif 000002
【特許請求の範囲】
【請求項１】
長尺状の基材を収容して保護するために構成されたダンパー付スリーブであって、
同基材を収容すべく構成された内部空間を囲んで形成する可撓性および弾力性を備えた長尺チューブ状支持層と、同支持層は互いに近接して配置され該支持層に沿って長手方向に延びる１対の縁部を有することと、同縁部は内部空間にアクセスできるように支持層内において長手方向に延びるスリットを構成することと、
前記縁部に沿って支持層に対して取り付けられ、支持層の外表面をほぼ覆う減衰層と、同減衰層はエネルギー吸収材からなることとを有するダンパー付スリーブ。
【請求項２】
減衰層は支持層よりも大きい円周を有し、両縁部間において支持層から径方向外方に延び、それにより減衰層と支持層との間の空間を形成する請求項１に記載のダンパー付スリーブ。
【請求項３】
減衰層はいずれか一方の縁部から径方向内方に延びてスリット内に達し、同一方の縁部をほぼ覆う請求項１に記載のダンパー付スリーブ。
【請求項４】
減衰層は他方の縁部から径方向内方に延びてスリット内に達し、同他方の縁部をほぼ覆う請求項３に記載のダンパー付スリーブ。
【請求項５】
支持層はポリマー材料から形成される請求項１に記載のダンパー付スリーブ。
【請求項６】
前記ポリマー材料はポリエステル、ポリプロピレンおよびＡＢＳ樹脂から選択される請求項５に記載のダンパー付スリーブ。
【請求項７】
減衰層は繊維状の不織布を有する請求項１に記載のダンパー付スリーブ。
【請求項８】
減衰層はポリマー材料から形成される請求項７に記載のダンパー付スリーブ。
【請求項９】
前記ポリマー材料はポリエステル、ポリプロピレンおよびＡＢＳ樹脂から選択される請求項８に記載のダンパー付スリーブ。
【請求項１０】
支持層は減衰層と同じ材料を有する請求項９に記載のダンパー付スリーブ。
【請求項１１】
減衰層は長手方向において縁部に沿って支持層に接合される請求項１０に記載のダンパー付スリーブ。
【請求項１２】
減衰層は超音波溶接によって支持層に接合される請求項１１に記載のダンパー付スリーブ。
【請求項１３】
支持層は複数の波形部を有する請求項１に記載のダンパー付スリーブ。
【請求項１４】
減衰層は繊維状の不織布を有し、径方向内方に延びてスリット内に達し、いずれか一方の縁部をほぼ覆う請求項１に記載のダンパー付スリーブ。
【請求項１５】
他方の縁部は同縁部から延びる複数のフックを有し、同フックは不織布に対して移動可能に係合可能であり、フックループファスナー式に縁部を共に固定することにより、スリットを閉じ、同スリットはフックを不織布から外すことにより手動で開放可能な請求項１４に記載のダンパー付スリーブ。
【請求項１６】
長尺状の基材は前記内部空間内に収容される請求項１に記載のダンパー付スリーブ。
【請求項１７】
長尺状の基材はワイヤハーネスを有する請求項１６に記載のダンパー付スリーブ。
【請求項１８】
長尺状の基材を収容して保護するために構成されたダンパー付スリーブであって、
同基材を収容すべく構成された内部空間を囲んで形成する可撓性および弾力性を備えた長尺のチューブ状支持層と、同支持層は、径方向の剛性および曲げの可撓性を付与する複数の円周状の波形部、および互いに近接して配置され支持層に沿って長手方向に延びる１対の縁部を有することと、同縁部は内部空間にアクセスできるように支持層内において長手方向に延びるスリットを構成することと、
前記縁部に沿って支持層に対して取り付けられ、支持層の外表面をほぼ覆う減衰層と、同減衰層は繊維状の不織布からなることとを有するダンパー付スリーブ。
【請求項１９】
減衰層は支持層よりも大きい円周を有し、両縁部間において支持層から径方向外方に延びて、減衰層と支持層との間の内部空間を形成する請求項１８に記載のダンパー付スリーブ。
【請求項２０】
減衰層は、ポリエステル、ポリプロピレンおよびＡＢＳ樹脂から選択された熱可塑性ポリマー材料から形成される請求項１８に記載のダンパー付スリーブ。
【請求項２１】
支持層は減衰層と同じ材料からなる請求項２０に記載のダンパー付スリーブ。
【請求項２２】
減衰層は長手方向において縁部に沿って支持層に接合される請求項２１に記載のダンパー付スリーブ。
【請求項２３】
減衰層は超音波溶接によって支持層に接合される請求項２２に記載のダンパー付スリーブ。
【請求項２４】
減衰層は径方向内方に延びて、スリット内に達し、一方の縁部をほぼ覆う請求項１８に記載のダンパー付スリーブ。
【発明の詳細な説明】
【技術分野】
【０００１】
本発明は、ワイヤハーネスなどの長尺状の基材を包み込んで保護し、これら基材が高振動環境において使用される場合に、基材からのガタ音を緩和するためのスリーブに関する。
【背景技術】
【０００２】
ワイヤハーネス、流体管、ブレーキパイプ、燃料パイプおよび光ファイバ束などの長尺状の基材は、車両、飛行機および船舶においてしばしば使用され、周囲の振動を著しく受けることがある。車両においては、特にワイヤハーネスが、エンジン動作或いは通過する路面の起伏による車体構造の振動に対して共振し易いために生じる好ましくない「ガタ音」の有害な発生源となる。ワイヤハーネスは、通常、車両の客室全体をほぼ貫通して延び、エンジンルームからダッシュボード周りの器具、室内灯、ラジオ、スピーカ、パワーウィンドウ、電動ドアロック、ウィンドウの曇り止め要素、並びにテールライトおよび燃料タンク内に配置されている電動燃料ポンプに配電すべくトランク部にまで配電し制御信号を伝達する。ハーネスは車体に間欠的に装着されるが、装着箇所間のハーネスの長さによっては、人の可聴範囲内の比較的低周波の振動に反応して、車体に対して共振しガタ音を発するため、車の所有者にとっては厄介で心配の種である騒音源となる。騒音に対する不快感は別にしても、ワイヤハーネスの振動は、配線のハンダ接合又は機械的な連結器の疲れ破損を引き起こし、ショートなどの電気系統の故障を招き、車両火災を発生させることもある。燃料パイプもしくはブレーキパイプなどの他の長尺状の基材の振動および摩耗による故障もまた、惨事を招く危険性を孕んでいる。長尺状の基材の振動を抑制し、基材の共振、それによって生じるガタ音および疲れ破損を低減する装置が必要とされている。
【発明の開示】
【発明が解決しようとする課題】
【０００３】
本発明は、上記した懸案を鑑みてなされたものである。
【課題を解決するための手段】
【０００４】
本発明は、長尺状の基材を収容し保護すべく構成されたダンパー付スリーブに関する。スリーブは、基材を収容すべく構成された内部空間を囲んで構成する、可撓性および弾力性を備えた長尺チューブ状支持層を有する。支持層は、互いに近接して配置され支持層に沿って長手方向に延びる１対の縁部を有し、同縁部は内部空間にアクセスできるように支持層内において長手方向に延びるスリットを構成する。減衰層は、縁部に沿って支持層に取り付けられ、支持層の外表面をほぼ覆う。減衰層は、エネルギー吸収材、好ましくは繊維状の不織布からなる。
【０００５】
不織布からなる減衰層は、径方向内方に延びてスリット内に達し、一方の縁部にほぼ重なる。他方の縁部は、そこから延びる複数のフックを有する。フックは、フックループファスナー式に両縁部を共に固定すべく不織布に対して移動可能に係合可能であり、それによりスリットを閉じる。同スリットは、不織布からフックを外すことにより手動で開放可能である。
【０００６】
本発明の目的は、長尺状の基材を保護するためのスリーブを提供することにある。
本発明の他の目的は、振動を抑制するスリーブを提供することにある。
本発明の更なる目的は、容易にリサイクルされるスリーブを提供することにある。
【０００７】
本発明のこれらの目的および他の目的ならびに効果は、以下の図面および好適な実施形態についての詳細な説明を考慮すると明らかになるであろう。
【発明を実施するための最良の形態】
【０００８】
図１は、本発明によるダンパー付スリーブ１０を示す。スリーブ１０は、ポリエステル、ポリプロピレン又はＡＢＳ樹脂などの弾力性および可撓性を備えたポリマー材料から形成された長尺チューブ状支持層１２を有する。支持層１２は、同層の周囲に円周状に延びる波形部１４を有する。波形部１４は、径方向における剛性を付与して支持層１２の崩落を防止するが、例えば車両のシャーシと車体を介して基材の経路をたどるために必要な支持層１２の湾曲を可能にする、優れた曲げの可撓性をも付与する。
【０００９】
図２において明確に示すように、支持層１２は、ワイヤハーネスなどの保護すべき長尺状の基材１８を収容すべく構成された内部空間１６を囲んで形成する。支持層１２は、スリーブに沿って長手方向に延び、互いに対向して支持層内に長手方向のスリット２４を構成する１対の縁部２０，２２を有する。スリット２４は、内部空間１６にアクセスして、基材１８を手動で同空間内に配置し、移動し、修理し、接合し、更に提供できるようにする。
【００１０】
減衰層２６は、支持層１２の外表面２８をほぼ覆う。減衰層２６は、ポリエステル、ポリプロピレン又はＡＢＳ樹脂から形成されたポリマー不織布などのエネルギー吸収材から形成される。望ましくは、減衰層を支持層に接合することにより、減衰層２６は、縁部２０，２２に沿って支持層１２に取り付けられる。超音波溶接が両層を接合する好適な手段であり、超音波溶接３０の線は、支持層１２および減衰層２６を互いに固定する各縁部２０，２２に近接するスリーブ１０に沿って長手方向に延びる。効果的な超音波溶接３０を提供するためには、支持層１２および減衰層２６の両層を同じ材料で形成することが望ましく、それによって、接合に関して両層の適合性が確保される。また、支持層１２および減衰層２６に同じ材料を使用することにより、使用期間が終了した際に、スリーブのリサイクルを容易にする。接着剤又は機械的固定具などの他の固定手段を使用する必要がないので、両層を一緒に接合することにより、更にリサイクルが容易になる。これらの異なる固定手段を使用する場合は、異なる材料をスリーブに使用することになるため、スリーブのリサイクルを複雑にすることになろう。
【００１１】
減衰層２６は、図４乃至６において示すように、支持層１２の周囲に円周状に密接して配置され、或いは図１乃至３において示すように、減衰層２６は、支持層１２の円周３４よりも大きな円周３２を有してもよい。大きな円周３２により、減衰層２６は支持層１２から径方向外方に延びて、両層の間に空間３６を形成する。空間３６は、減衰機能および断熱力を高める。
【００１２】
スリット２４を繰り返し、確実に、かつ容易に開閉できる手動固定システムを提供することが望ましい場合がある。塵埃および他の汚染物質が内部空間１６を汚さないように、スリット２４は閉鎖可能でなければならない。スリット２４はまた、長尺状の基材１８を内部空間内に設置したり修理するためにアクセスできるように、開放可能でなければならない。図４において示すように、フックループファスナー３８は、スリット２４の開閉を行うべく縁部２０，２２に沿って支持層１２に取り付けられる。フックループファスナーは、好適な固定システムであり、フックとループが確実に閉じられ、容易に開けられ、また所望の反復可能性を備え、繰り返して係脱可能であるという必要とされる特性を全て備えている。フックループファスナー３８はまた、支持層１２および減衰層２６を形成する際に使用される材料（例えば、ポリエステル）と同じ材料から形成できるという利点がある。したがって、これらフックおよびループは、スリーブ１０を容易にリサイクルできるという効果に影響を与えるものではない。更に、同じ材料を使用することにより、フックおよびループもまた接合されて支持層１２に取り付けられるため、異なる材料を使用してリサイクルを複雑にするような他の取り付け手段の必要性が回避できる。
【００１３】
図５において示すように、減衰層２６をスリット２４内に延ばして、縁部２０，２２のいずれか又は両方を減衰層２６のフラップ４０で覆ってもよい。縁部を覆うことにより、スリーブが捻られる場合に、縁部が互いに擦れ合うことを防止するため、スリーブ自身から騒音の発生原因の一つを排除する。
【００１４】
図６において示すように、減衰フラップ４０をフックループファスナー３８と組み合わせて、騒音を減衰させる留め部を構成することも可能である。フラップ４０は縁部２２上に配置され、フックループファスナーシステムのフック４２は、対向する縁部２０上に配置される。フラップ４０が不織布から形成される場合、同フラップは、フックループファスナーシステムのループに代えて、フック４２に直接係合できるため、スリット２４を開閉できる。不織布の性質上、フック４２を係合し、スリットを閉じた状態で固定するためのループを内在的に構成できる。
【００１５】
本発明による可撓性を備えた保護スリーブは、不織布からなる減衰層の騒音および振動を減衰させる特性により、ワイヤハーネスなどの長尺状の基材のガタ音を低減する上で効果的である。このような層が隣接する構造体に接触すると、構造体に対する基材の振動により通常生じるであろういずれの音も緩和される。振動エネルギーもまた不織布により吸収されるため、振動を減衰し、同スリーブに囲まれた部材の耐用年数を増す。前記スリーブの使用により、共振による騒音を低減し、また疲労による故障を減少させる。
【図面の簡単な説明】
【００１６】
【図１】本発明によるスリーブの一実施形態の一部破断斜視図。
【図２】図１の２−２線における断面図。
【図３】図２の３−３線におけるスリーブの長手方向の側断面図。
【図４】本発明によるスリーブの他の実施形態の断面図。
【図５】本発明によるスリーブの更に別の実施形態の断面図。
【図６】本発明によるスリーブの更なる実施形態の断面図。
【国際公開パンフレット】
2004537472.tif 000003
2004537472.tif 000004
2004537472.tif 000005
2004537472.tif 000006
2004537472.tif 000007
2004537472.tif 000008
2004537472.tif 000009
2004537472.tif 000010
2004537472.tif 000011
2004537472.tif 000012
2004537472.tif 000013
2004537472.tif 000014
2004537472.tif 000015
2004537472.tif 000016
【国際公開パンフレット（コレクトバージョン）】
2004537472.tif 000017
2004537472.tif 000018
【国際調査報告】
2004537472.tif 000019